(57)【要約】      （修正有）【課題】マッサージ効果を備える枕を提供する。【解決手段】マッサージ効果を備える枕は底台３、中間台４及びマッサージアセンブリ５を備え、中間台４は底台３上に設置され、２個以上の接触部５１を備え、マッサージアセンブリ５は中間台４上に設置され、接触部５１は、細長い形状を呈し、中間台４上に縦方向に配列される。【選択図】図４
0003190214.tif 000002
【実用新案登録請求の範囲】
【請求項１】
底台及びマッサージアセンブリを備え、
前記マッサージアセンブリは、前記底台上に設置され、２個以上の接触部を備え、
接触部は、細長い形状を呈し、前記底台上に縦方向に配列されることを特徴とするマッサージ効果を備える枕。
【請求項２】
前記マッサージアセンブリの形状は、凹字型であることを特徴とする請求項１に記載のマッサージ効果を備える枕。
【請求項３】
前記各接触部の、前記底台側と反対側の一端は、円弧形状に形成されていることを特徴とする請求項１又は２に記載のマッサージ効果を備える枕。
【請求項４】
底台、中間台及びマッサージアセンブリを備え、
前記中間台は、前記底台上に設置され、２個以上の接触部を備え、
前記マッサージアセンブリは、前記中間台上に設置され、
接触部は、細長い形状を呈し、前記中間台上に縦方向に配列されることを特徴とするマッサージ効果を備える枕。
【請求項５】
前記マッサージアセンブリの形状は、凹字型であることを特徴とする請求項４に記載のマッサージ効果を備える枕。
【請求項６】
前記各接触部の、前記中間台側と反対側の一端は、円弧形状に形成されていることを特徴とする請求項４又は５に記載のマッサージ効果を備える枕。
【考案の詳細な説明】
【技術分野】
【０００１】
本考案は枕に関し、特にマッサージ効果を備える枕に関する。
【背景技術】
【０００２】
現代人の生活は忙しく、しかも仕事のストレスも大きいため、さまざまなリラックスの方式が生み出されている。
それらの中で、「頭部と頚部のマッサージ」は、広く受け入れられているものの一つである。
【０００３】
東洋医学の観点からは、頭部と頚部のマッサージは、脳を刺激し、脳血管を拡張させ、脳の血液循環を促進することができる。
これにより、脳に血液と酸素が行き渡り、血流量が高まることで、脳の栄養状況が改善され、脳の動脈硬化を予防することができる。
また、頭部と頚部のマッサージは、顔面の血行を促進することもできる。
【０００４】
人の手による、頭部と頚部のマッサージの他に、現在ではさまざまな規格、サイズのマッサージ器が市場に出回っている。
特許文献１に開示する「頭部と頚部マッサージ器」、特許文献２に開示する「スマートリラックス枕」、特許文献３に開示する「多機能マッサージ枕」等が先行技術としてある。
【０００５】
しかし、従来のマッサージ器の多くは、電力で動くタイプであるため、電力を消費し、マッサージ器の販売価格も高くなり、消費者の購買意欲を低下させていた。
本考案は、従来のマッサージ器の上記した欠点に鑑み、簡単な構成部材で、しかも電力に頼る必要なく頭部と頚部のマッサージを行うことができるマッサージ効果を備える枕を提供することを目的としてなされたものである。
【先行技術文献】
【特許文献】
【０００６】
【特許文献１】台湾実用新案公告第２５１４６１号
【特許文献２】台湾実用新案公告第Ｍ４４２７９３号
【特許文献３】台湾実用新案公告第Ｍ４２７０９１号
【考案の概要】
【考案が解決しようとする課題】
【０００７】
本考案が解決しようとする課題は、簡単な構成部材で、電力に頼る必要なく頭部と頚部のマッサージを行うことができるマッサージ効果を備える枕を提供することである。
【課題を解決するための手段】
【０００８】
上記課題を解決するため、本考案は下記のマッサージ効果を備える枕を提供する。
マッサージ効果を備える枕は、底台及びマッサージアセンブリを備え、
該マッサージアセンブリは、底台上に設置され、２個以上の接触部を備え、
接触部は、細長い形状を呈し、該底台上に縦方向に配列される。
本考案の他の実施形態に係るマッサージ効果を備える枕は、底台、中間台及びマッサージアセンブリを備え、
該中間台は、該底台上に設置され、２個以上の接触部を備え、
該マッサージアセンブリは、該中間台上に設置され、
接触部は、細長い形状を呈し、該中間台上に縦方向に配列される。
本考案の枕を使用する時には、使用者は、その頭部或いは頚部を、該接触部上に載せる。該接触部は頭部或いは頚部に圧力を加え、使用者に対して頭部と頚部のマッサージを行う。
２個以上の接触部を設置することで、加える圧力が大きくなり過ぎ、頭部或いは頚部が傷つくことを回避できる。
【考案の効果】
【０００９】
本考案のマッサージ効果を備える枕は、簡単な構成部材で、電力に頼る必要なく頭部と頚部のマッサージを行うことができる。
【図面の簡単な説明】
【００１０】
【図１】本考案第一実施形態の枕の立体組合せ図である。
【図２】本考案第一実施形態の枕の立体分解図である。
【図３】本考案第二実施形態の枕の立体組合せ図である。
【図４】本考案第二実施形態の枕の立体分解図である。
【考案を実施するための形態】
【００１１】
以下に図面を参照しながら本考案を実施するための最良の形態について詳細に説明する。
【００１２】
図１、２に示すように、本考案第一実施形態の枕は、マッサージ効果を備え、底台１及びマッサージアセンブリ２を備える。
【００１３】
マッサージアセンブリ２は、底台１上に設置され、しかもその底面積は、底台１より小さい。
マッサージアセンブリ２は、２個の接触部２１を備え、接触部２１は、細長い形状を呈し、底台１上に縦方向（接触部２１の長手方向および上下方向と直交する方向）に配列される。
また、各接触部２１は、底台１側と反対側の一端が円弧形状に形成されている。
図に示すように、マッサージアセンブリ２の形状は凹字型で、しかもマッサージアセンブリ２は、接着結合、溶接、螺合固定等さまざまな方式で、底台１上に固定される。
本実施形態では、マッサージアセンブリ２は、ボルト２２により、底台１上に螺合して固定される。
【００１４】
図３、４に示すように、本考案第二実施形態の枕は、マッサージ効果を備え、しかも底台３、中間台４及びマッサージアセンブリ５を備える。
【００１５】
中間台４は、底台３上に設置され、しかもその底面積は、底台３より小さい。
マッサージアセンブリ５は、中間台４上に設置され、しかもその底面積は、中間台４より小さい。
マッサージアセンブリ５は、２個の接触部５１を備え、接触部５１は、細長い形状を呈し、中間台４上に縦方向（接触部５１の長手方向および上下方向と直交する方向）に配列される。
【００１６】
また、各接触部５１は、中間台４側と反対側の一端が円弧形状に形成されている。
図に示すように、マッサージアセンブリ５の形状は凹字型で、しかもマッサージアセンブリ５は、接着結合、溶接、螺合固定等さまざまな方式で、中間台４上に固定される。
本実施形態では、マッサージアセンブリ５は、ボルト５２により、中間台４上に螺合されて固定される。
【００１７】
上記した実施形態の構成部材はいくらか異なるが、その使用方式はおおよそ同一である。
以下では、上記した第二実施形態の枕の使用方式について、説明する。
【００１８】
使用者は、上記した第二実施形態の枕の内の一つに直接頭を載せて横たわることができる。
そして、その頭部或いは頚部を、マッサージアセンブリ２、５の接触部２１、５１に接触させる。
接触部２１、５１が、頭部或いは頚部に圧力を加えることで、頭部と頚部のマッサージが行われる。
接触部２１、５１に接触する時、使用者の頭部或いは頚部は接触部２１、５１上でローリングし、ローリングを通して、頭部或いは頚部の異なる部位に圧力が加えられる。
【００１９】
使用者はまた、上記した第二実施形態の枕の内の一つを持ち上げ、マッサージアセンブリ２、５の接触部２１、５１を、その頭部或いは頚部に接触させ、目的を持って枕を移動させ、また自ら枕に力を加え、接触部２１、５１が、頭部或いは頚部に圧力を加えることで、頭部と頚部のマッサージを行う。
【００２０】
上記した第二実施形態の枕のマッサージアセンブリ２、５は、２個以上の接触部２１、５１を備える。
２個以上の接触部２１、５１により、使用者の頭部或いは頚部に接触する時、加えられる圧力が大きくなり過ぎ、頭部或いは頚部の傷害を招くことを回避できる。
【００２１】
各接触部２１、５１の底台１或いは中間台４側と反対側の一端は、円弧形状に形成されている。
円弧形状により、使用者の頭部或いは頚部に接触する時、頭部或いは頚部を切ったり、引っ掻いたりして傷をつける恐れを回避でき、加える圧力が大き過ぎ、頭部或いは頚部に傷害を与えることを回避できる。
【００２２】
上記した実施形態の枕は、数個の簡単な構成部材を組合せて構成されるため、従来のマッサージ器のように電力に頼らなくても頭部と頚部のマッサージを行うことができる。
【００２３】
上記の本考案名称と内容は、本考案技術内容の説明に用いたのみで、本考案を限定するものではない。本考案の精神に基づく等価な応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
１、３      底台
２、５      マッサージアセンブリ
２１、５１  接触部
２２、５２  ボルト
４          中間台
【図１】
0003190214.tif 000003
【図２】
0003190214.tif 000004
【図３】
0003190214.tif 000005
【図４】
0003190214.tif 000006
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
底台及びマッサージアセンブリを備え、
前記マッサージアセンブリは、前記底台上に設置され、２個以上の接触部を備え、
接触部は、細長い形状を呈し、前記底台上に縦方向に配列されることを特徴とするマッサージ効果を備える枕。
【請求項２】
前記マッサージアセンブリの形状は、凹字型であることを特徴とする請求項１に記載のマッサージ効果を備える枕。
【請求項３】
前記各接触部の、前記底台側と反対側の一端は、円弧形状に形成されていることを特徴とする請求項１又は２に記載のマッサージ効果を備える枕。
【請求項４】
底台、中間台及びマッサージアセンブリを備え、
前記中間台は、前記底台上に設置され、
前記マッサージアセンブリは、前記中間台上に設置され、２個以上の接触部を備え、
接触部は、細長い形状を呈し、前記中間台上に縦方向に配列されることを特徴とするマッサージ効果を備える枕。
【請求項５】
前記マッサージアセンブリの形状は、凹字型であることを特徴とする請求項４に記載のマッサージ効果を備える枕。
【請求項６】
前記各接触部の、前記中間台側と反対側の一端は、円弧形状に形成されていることを特徴とする請求項４又は５に記載のマッサージ効果を備える枕。
【手続補正２】
【補正対象書類名】明細書
【補正対象項目名】０００８
【補正方法】変更
【補正の内容】
【０００８】
上記課題を解決するため、本考案は下記のマッサージ効果を備える枕を提供する。
マッサージ効果を備える枕は、底台及びマッサージアセンブリを備え、
該マッサージアセンブリは、底台上に設置され、２個以上の接触部を備え、
接触部は、細長い形状を呈し、該底台上に縦方向に配列される。
本考案の他の実施形態に係るマッサージ効果を備える枕は、底台、中間台及びマッサージアセンブリを備え、
該中間台は、該底台上に設置され、
該マッサージアセンブリは、該中間台上に設置され、２個以上の接触部を備え、
接触部は、細長い形状を呈し、該中間台上に縦方向に配列される。
本考案の枕を使用する時には、使用者は、その頭部或いは頚部を、該接触部上に載せる。該接触部は頭部或いは頚部に圧力を加え、使用者に対して頭部と頚部のマッサージを行う。
２個以上の接触部を設置することで、加える圧力が大きくなり過ぎ、頭部或いは頚部が傷つくことを回避できる。